(57)【要約】【課題】１つの通信装置に設定される設定を他の複数の通信装置にコピーする場合において、利便性を向上できることを目的とする。【解決手段】１以上の通信機器を制御する第１通信装置と、前記通信機器を制御し、かつ、前記第１通信装置と送受信を行う１以上の第２通信装置とを有する通信システムにおいて、前記第１通信装置が、制御対象とする通信機器を登録するアソシエーションを行い、前記制御対象のうち、所定の通信機器をグループに指定し、前記第２通信装置と送受信する通信を行い、前記通信は、前記登録に係るデータ、前記グループを示すデータ及び前記制御の内容を示すデータを前記第２通信装置に送信し、前記第２通信装置が、前記登録、前記グループ及び前記制御の内容を示すデータを受信して前記第１通信装置と設定を同一とすることで上記課題を解決する。【選択図】図１
2017085277.tif 000002
【特許請求の範囲】
【請求項１】
１以上の通信機器を制御する第１通信装置と、前記通信機器を制御し、かつ、前記第１通信装置と送受信を行う１以上の第２通信装置とを有する通信システムであって、
前記第１通信装置は、
制御対象とする通信機器を登録するアソシエーション部と、
前記制御対象のうち、所定の通信機器をグループに指定するグループ指定部と、
前記第２通信装置と送受信する通信部とを備え、
前記通信部は、前記登録に係るデータ、前記グループを示すデータ及び前記制御の内容を示すデータを前記第２通信装置に送信し、
前記第２通信装置は、
前記登録、前記グループ及び前記制御の内容を示すデータを受信して前記第１通信装置と設定を同一とすることを特徴とする通信システム。
【請求項２】
前記アソシエーション部は、前記通信機器のうち、電源がＯＮの状態、かつ、前記第１通信装置との距離が所定距離以内である通信機器を前記制御対象にする請求項１に記載の通信システム。
【請求項３】
前記所定の通信機器は、電源がＯＮの状態、かつ、前記制御対象に登録された通信機器であり、
前記グループ指定部は、複数の前記所定の通信機器を同一のグループに指定する請求項１又は２に記載の通信システム。
【請求項４】
前記第１通信装置との距離が所定距離以内である前記第２通信装置に、前記通信部は、前記登録に係るデータ、前記グループを示すデータ及び前記制御の内容を示すデータを送信する請求項１乃至３のいずれか一項に記載の通信システム。
【請求項５】
前記第１通信装置は、前記登録、前記登録の解除、前記グループの指定、前記グループの解除、前記制御の内容の変更及び前記制御の内容の実行を行う請求項１乃至４のいずれか一項に記載の通信システム。
【請求項６】
前記第２通信装置は、前記制御の内容の実行及び前記制御の内容の削除を行う請求項１乃至５のいずれか一項に記載の通信システム。
【請求項７】
前記通信機器は、照明機器であり、かつ、前記第１通信装置及び前記第２通信装置は、前記照明機器を無線で制御する操作が入力されるリモコンである請求項１乃至６のいずれか一項に記載の通信システム。
【請求項８】
前記第１通信装置と設定を同一とすることは、クローン処理である請求項１乃至７のいずれか一項に記載の通信システム。
【請求項９】
通信機器を制御し、かつ、第２通信装置と送受信を行う通信装置であって、
制御対象とする通信機器を登録するアソシエーション部と、
前記制御対象のうち、所定の通信機器をグループに指定するグループ指定部と、
前記グループとされる通信機器若しくは前記制御対象に対する制御内容及び前記グループを同一に設定する通信を前記第２通信装置と行う通信部と
を含む通信装置。
【発明の詳細な説明】
【技術分野】
【０００１】
本発明は、通信システム及び通信装置に関する。
【背景技術】
【０００２】
近年では、複数の通信機器を同時に制御可能な通信装置、例えば、リモートコントローラ等が普及している。このようなリモコンを利用する方法が知られている。
【０００３】
例えば、特許文献１には、リモコンと通信可能な管理装置、識別符号が付与される遠隔制御装置及び管理装置と双方向通信可能なマスタコントローラを用いる方法が開示されている。具体的には、遠隔制御装置は、識別符号が設定されている通信ユニットを有し、通信ユニットから信号がマスタコントローラに伝送されたとき、送信元に応答することで、照明機器の遠隔制御において、データを確実に伝送する方法が開示されている。
【０００４】
また、例えば、特許文献２には、複数の照明機器があるとき、光源の点灯累積時間をリセットする等の所定の動作を一部の照明機器のみに一斉にさせる方法が開示されている。具体的には、複数の照明機器をグループ分けし、ワイヤレスリモコン等から、照明機器を動作させる指示が入力されると、仮設定用のグループ識別子を生成する。次に、照明機器に割り当てられる個別識別子を宛先とする設定データと、グループを識別するグループ識別子を宛先とする制御データとに基づいて、所定の動作を実行させる方法が開示されている。
【０００５】
他にも、例えば、特許文献３には、複数の照明機器をグループ単位で、点灯、消灯及び調光等の制御を行うため、各照明機器がそれぞれどのグループに属しているかを容易に確認する方法が開示されている。具体的には、リモコンの操作によってグループ情報が設定され、リモコンから受信するグループ情報に対応した調光率によって、それぞれの照明機器が点灯される。これによって、それぞれの照明機器がグループごとに異なる調光率で点灯するため、どのグループに各照明機器がそれぞれ属しているかが確認できる方法が開示されている。
【０００６】
さらに、例えば、特許文献４には、複数の照明機器を制御する場合において、照明機器が設置されている場所を容易に特定できる方法が開示されている。具体的には、各照明機器に割り当てられる識別符号と、識別符号とが対応付けされ、かつ、それぞれの照明機器が設置されている場所を示すアドレスに基づいて一括して動作させるグループが設定される。これによって、アドレスにより、設置されている場所が容易に特定できる方法が開示されている。
【０００７】
さらにまた、例えば、特許文献５には、複数のリモコンがある場合において、任意のリモコンの設定を他のリモコンにコピーする方法が知られている。具体的には、第１デバイスと、第２デバイスとの距離が所定距離より短い又は所定距離と等しいと、ネットワークが確立され、一方のデバイスの設定を読み込んで、他のデバイスが設定できる方法が知られている。
【先行技術文献】
【特許文献】
【０００８】
【特許文献１】特開２００３−２４３１８６号公報
【特許文献２】特開２００９−２９５３９４号公報
【特許文献３】特開２０１０−１９８８７７号公報
【特許文献４】特開２０１１−２３８５６３号公報
【特許文献５】特表２０１２−５１１２２９号公報
【発明の概要】
【発明が解決しようとする課題】
【０００９】
しかしながら、従来の方法では、１つの通信装置に設定される設定を他の複数の通信装置にコピーするには、コピー先となる通信装置ごとに、設定をコピーする操作をそれぞれ繰り返す必要がある場合が多い。そのため、コピーに係る操作が多い等の利便性が低下する場合がある。
【００１０】
本発明の１つの側面は、このような問題に鑑みてなされたものであり、１つの通信装置に設定される設定を他の複数の通信装置にコピーする場合において、利便性の高い通信システム及び通信装置を提供することを目的とする。
【課題を解決するための手段】
【００１１】
上記課題を解決するため、本発明の一態様によれば、１以上の通信機器（２１、２２）を制御する第１通信装置（１１）と、前記通信機器を制御し、かつ、前記第１通信装置と送受信を行う１以上の第２通信装置（１２）とを有する通信システム（１）において、前記第１通信装置は、制御対象とする通信機器を登録するアソシエーション部（１１Ｃ）と、前記制御対象のうち、所定の通信機器をグループに指定するグループ指定部（１１Ｃ）と、前記第２通信装置と送受信する通信部（１１Ａ及び１１Ｂ）とを備え、前記通信部は、前記登録に係るデータ、前記グループを示すデータ及び前記制御の内容を示すデータを前記第２通信装置に送信し、前記第２通信装置は、前記登録、前記グループ及び前記制御の内容を示すデータを受信して前記第１通信装置と設定を同一とすることを特徴とする。
【００１２】
なお、上記参照符号はあくまでも参考であり、これによって特許請求の範囲の記載が限定されるものではない。
【発明の効果】
【００１３】
本発明によれば、１つの通信装置に設定される設定を他の複数の通信装置にコピーする場合において、利便性を向上できる。
【図面の簡単な説明】
【００１４】
【図１】本発明の一実施形態に係る通信システムの一例を示す全体構成図である。
【図２】本発明の一実施形態に係る通信装置のハードウェア構成の一例を示すブロック図である。
【図３】本発明の一実施形態に係る第１通信装置による全体処理の一例を示すフローチャートである。
【図４】本発明の一実施形態に係る第１通信装置によるアソシエーションの処理結果例を示す概念図である。
【図５】本発明の一実施形態に係る第１通信装置によるグループの指定例を示す回路図である。
【図６】本発明の一実施形態に係る第１通信装置によるグループの指定の処理結果例を示す概念図である。
【図７】本発明の一実施形態に係る１０台の通信装置が有するアソシエーションに係るデータの一例を示す表である。
【図８】本発明の一実施形態に係る第１通信装置が有するアソシエイト及びグループに係るデータの一例を示す表である。
【図９】本発明の一実施形態に係る１０台の通信機器が有するデータの一例を示す表である。
【図１０】本発明の一実施形態に係る通信機器による全体処理の一例を示すフローチャートである。
【発明を実施するための形態】
【００１５】
以下、図面を参照して本発明の一実施形態について説明する。
【００１６】
（全体構成例）
図１は、本発明の一実施形態に係る通信システムの一例を示す全体構成図である。図示するように、通信システム１は、第１通信装置の例である第１リモコン１１と、第２通信装置の例である第２リモコン１２とを有する。
【００１７】
第１リモコン１１及び第２リモコン１２は、複数の通信機器を制御する。具体的には、第１リモコン１１及び第２リモコン１２が第1通信機器２１と、第２通信機器２２とを制御する例で説明する。操作者ＵＳＥＲは、例えば、第１リモコン１１が有するボタン又はスイッチ等を押して第１通信機器２１、第２通信機器２２又はこれら２つを制御する操作を入力する。なお、操作に基づく制御は、例えば、点灯、消灯及び調光等である。さらに、第１リモコン１１及び第２リモコン１２は、無線で第１通信機器２１及び第２通信機器２２を制御する。
【００１８】
また、第１通信機器２１及び第２通信機器２２に対しては、第２リモコン１２から制御が行われてもよい。
【００１９】
なお、通信システム１は、更に通信機器を有してもよい。
【００２０】
図２は、本発明の一実施形態に係る通信装置のハードウェア構成の一例を示すブロック図である。例えば、第１リモコン１１及び第２リモコン１２は、同一のハードウェア構成である。以下、第１リモコン１１を例に説明する。なお、第１リモコン１１及び第２リモコン１２は、異なるハードウェアであってもよい。
【００２１】
具体的には、第１リモコン１１は、アンテナ１１Ａ、高周波回路等のＲＦ１１Ｂ、ＭＰＵ（Ｍｉｃｒｏ  Ｐｒｏｃｅｓｓｉｎｇ  Ｕｎｉｔ）１１Ｃ、不揮発メモリ（ＮＶＭ）１１Ｄ、入力用ユーザインタフェース（Ｉ／Ｆ）１１Ｅ、出力用ユーザインタフェース１１Ｆ及び電源１１Ｇを有するハードウェア構成である。
【００２２】
アンテナ１１Ａは、電波を発信し、外部装置とデータ等を送受信する。
【００２３】
ＲＦ１１Ｂは、アンテナ１１Ａが発信する電波を制御する回路等である。
【００２４】
ＭＰＵ１１Ｃは、通信装置が行う処理に係る演算及び通信装置が有するハードウェアの制御を行う。
【００２５】
不揮発メモリ１１Ｄは、通信装置が用いるプログラム、データ及び設定等を記憶する。なお、不揮発メモリ１１Ｄは、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、フラッシュメモリ（ｆｌａｓｈ  ｍｅｍｏｒｙ）、ＭＲＡＭ（Ｍａｇｎｅｔｉｃ  Ｒａｎｄｏｍ  Ａｃｃｅｓｓ  Ｍｅｍｏｒｙ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）又はこれらの組み合わせ等である。
【００２６】
入力用ユーザインタフェース１１Ｅは、操作者ＵＳＥＲ（図１）による操作を入力するインタフェースである。なお、入力用ユーザインタフェース１１Ｅは、例えば、スイッチ、タッチパネル、ロータリエンコーダ又はこれらの組み合わせ等である。
【００２７】
出力用ユーザインタフェース１１Ｆは、操作者ＵＳＥＲに処理結果等を出力するインタフェースである。なお、出力用ユーザインタフェース１１Ｆは、例えば、ＬＥＤ（Ｌｉｇｈｔ  Ｅｍｉｔｔｉｎｇ  Ｄｉｏｄｅ）、ＬＣＤ（Ｌｉｑｕｉｄ  Ｃｒｙｓｔａｌ  Ｄｉｓｐｌａｙ）又はこれらの組み合わせ等である。
【００２８】
電源１１Ｇは、電力を供給する。例えば、電源１１Ｇは、バッテリ等である。
【００２９】
なお、各ハードウェアは、一部又は全部をまとめてワンチップ化されてもよい。また、例えば、アンテナ１１Ａ、ＲＦ１１Ｂ、ＭＰＵ１１Ｃ及び不揮発メモリ１１Ｄは、ＲＦモジュール等でもよい。
【００３０】
なお、通信装置は、リモコンに限られず、スマートフォン（ｓｍａｒｔｐｈｏｎｅ）等の情報処理装置でもよい。
【００３１】
図３は、本発明の一実施形態に係る第１通信装置による全体処理の一例を示すフローチャートである。
【００３２】
ステップＳ１０１では、第１リモコンは、アソシエーションモードであるかアプリケーション制御モードであるか判断する。具体的には、アソシエーションモード又はアプリケーション制御モードのうち、いずれか一方のモードにするように、ユーザによって設定が行われる。なお、モードは、例えば、スイッチによって設定される。次に、第１リモコンは、スイッチがどのように設定されているかで、アソシエーションモードであるかアプリケーション制御モードであるかを判断する。なお、第１リモコンは、どちらのモードが設定されているかをＬＥＤ等でユーザに表示してもよい。さらに、アソシエーションモードとされる間は、アプリケーション制御モードに係る処理は、制限されてもよい。
【００３３】
アソシエーションモードであると判断されると（ステップＳ１０１でアソシエーションモード）、第１リモコンは、ステップＳ１０２に進む。一方、アプリケーション制御モードであると判断されると（ステップＳ１０１でアプリケーション制御モード）、第１リモコンは、ステップＳ１０４に進む。
【００３４】
ステップＳ１０２では、第１リモコンは、近距離通信レベルに設定する。
【００３５】
ステップＳ１０３では、第１リモコンは、制御対象を登録する。
【００３６】
図４は、本発明の一実施形態に係る第１通信装置によるアソシエーションの処理結果例を示す概念図である。
【００３７】
以下、第１リモコン１１の周辺に、図示するように、複数の通信機器が置かれる例で説明する。まず、ステップＳ１０２（図３）によって、第１リモコンが近距離通信レベルに設定されると、第１リモコン１１から所定距離の例である近距離Ｌ１が定まる。例えば、図示するように、複数の通信機器のうち、第１通信機器２１及び第２通信機器２２等が所定距離内となる近距離Ｌ１より短い距離にそれぞれ置かれるのに対して、第３通信機器２３が近距離Ｌ１より長い距離に置かれるとする。さらに、第４通信機器２４は、電源が入っていない（電源がＯＦＦ）状態であるのに対して、第１通信機器２１、第２通信機器２２及び第３通信機器２３は、それぞれ電源が入っている（電源がＯＮ）状態であるとする。
【００３８】
なお、近距離Ｌ１は、例えば、１メートル等である。また、所定距離は、アンテナ等が出力する電波の強度等によって定まる。例えば、第１リモコン１１は、設定により、遠距離Ｌ２までデータ等を送信できるとする。これに対して、近距離通信レベルに設定されると、第１リモコン１１は、近距離Ｌ１までデータ等を送信するようになる。なお、近距離Ｌ１は、設定等によって変更されてもよい。
【００３９】
この例では、第１通信機器２１及び第２通信機器２２のそれぞれの電源がＯＮの状態であり、かつ、各通信機器が第１リモコンに対して所定距離以内にそれぞれ置かれるため、第１リモコン１１は、第１通信機器２１及び第２通信機器２２を制御対象にそれぞれ登録する（図３に示すステップＳ１０３）。つまり、第１リモコン１１は、近距離Ｌ１以内にあり、かつ、電源がＯＮの状態である通信機器をスキャンし、制御対象にそれぞれ登録する。
【００４０】
一方、近距離Ｌ１より長い距離に置かれる第３通信機器２３は、制御対象から外れる。同様に、電源がＯＦＦの状態である第４通信機器２４は、制御対象から外れる。
【００４１】
したがって、ステップＳ１０２のように、近距離にある通信機器と通信を行うように設定がされると、第１リモコン１１は、第３通信機器２３のように、遠くにある通信機器まで制御対象に登録してしまう、いわゆる誤登録等を少なくできる。
【００４２】
また、第１リモコン１１は、電源がＯＦＦの状態である通信機器を制御対象から外して制御対象を登録する。これによって、第１リモコン１１は、第４通信機器２４のように、近距離Ｌ１より短い距離に置かれる通信機器であっても、制御対象から外すように登録できる。即ち、ユーザは、アソシエーションモードの際、制御対象から外す通信機器の電源をＯＦＦの状態とすることで、制御対象を選ぶことができる。
【００４３】
図３に戻り、ステップＳ１０４では、第１リモコンは、遠距離通信レベルに設定する。具体的には、ステップＳ１０２によって近距離通信レベルに設定される場合があるため、ステップＳ１０４では、第１リモコンは、近距離通信レベルに設定される前の遠距離Ｌ２（図４）等の遠距離に置かれる通信機器等と通信できるように設定を戻す。
【００４４】
ステップＳ１０５では、第１リモコンは、アソシエーションを解除するか否かを判断する。次に、アソシエーションを解除すると判断されると（ステップＳ１０５でＹＥＳ）、第１リモコンは、ステップＳ１０６に進む。一方、アソシエーションを解除しないと判断されると（ステップＳ１０５でＮＯ）、第１リモコンは、ステップＳ１０７に進む。なお、アソシエーションを解除するか否かは、例えば、ユーザによって設定が行われる。なお、設定は、例えば、スイッチ等によって行われる。
【００４５】
ステップＳ１０６では、第１リモコンは、制御対象の登録を解除する。
【００４６】
例えば、図４に示す第１通信機器２１及び第２通信機器２２が図３に示すステップＳ１０３により制御対象に登録される場合を例に説明する。ステップＳ１０６では、第１リモコン１１は、登録されている制御対象のうち、第１通信機器２１及び第２通信機器２２を制御対象から外す。このようにして、制御対象から外れると、以降、第１通信機器２１及び第２通信機器２２は、第１リモコンによるアプリケーション制御モードに係る処理によって制御されないようになる。一方、第４通信機器２４（図４）のように、電源がＯＦＦの状態である通信機器は、制御対象に登録されていても、制御対象の登録を解除する対象から外れる。つまり、ステップＳ１０６が行われても、ステップＳ１０６が行われる際に、電源がＯＦＦの状態であると、制御対象の登録は、維持される。
【００４７】
ステップＳ１０７では、第１リモコンは、通信機器をグループに指定するか否かを判断する。次に、通信機器をグループに指定すると判断されると（ステップＳ１０７でＹＥＳ）、第１リモコンは、ステップＳ１０８に進む。一方、通信機器をグループに指定しないと判断されると（ステップＳ１０７でＮＯ）、第１リモコンは、ステップＳ１０９に進む。なお、通信機器をグループに指定するか否かは、例えば、ユーザによって設定が行われる。具体的には、設定は、例えば、スイッチ等によって行われる。
【００４８】
ステップＳ１０８では、第１リモコンは、所定の通信機器をグループに指定する。
【００４９】
図５は、本発明の一実施形態に係る第１通信装置によるグループの指定例を示す回路図である。以下、グループが、図５に示す３つのスイッチである第１スイッチＳＷ１、第２スイッチＳＷ２及び第３スイッチＳＷ３のＯＮ又はＯＦＦの設定を組み合わせて、８つのグループで管理される例で説明する。なお、第１スイッチＳＷ１、第２スイッチＳＷ２及び第３スイッチＳＷ３は、第１リモコンが有するとする。
【００５０】
図５に示す例では、電源電圧Ｖｄｄに対して抵抗Ｒ０−１、Ｒ０−２、Ｒ１、Ｒ２−１、Ｒ２−２、Ｒ２−３及びスイッチＳＷ１、ＳＷ２、ＳＷ３が図示するようにそれぞれ接続される。これに対して、第１スイッチＳＷ１、第２スイッチＳＷ２及び第３スイッチＳＷ３は、ユーザによる操作によって、ＯＮ又はＯＦＦ（スイッチの開閉）がいずれかにそれぞれ切り替えられる。
【００５１】
次に、第１リモコンは、「ＡＤＣ０」、「ＡＤＣ１」の測定点においての電圧Ｖａｄｃ０、Ｖａｄｃ１と、設定される各閾値とを比較し、通信機器は、それぞれグループに指定される。
【００５２】
図６は、本発明の一実施形態に係る第１通信装置によるグループの指定の処理結果例を示す概念図である。以下、図４に示すように、第１通信機器２１及び第２通信機器２２が図３に示すステップＳ１０３により制御対象に登録された（アソシエーション）後の状態を例に説明する。具体的には、図６では、第１通信機器２１及び第２通信機器２２が同一のグループＧＲに指定される例である。
【００５３】
図３に示すステップＳ１０３の後、ステップＳ１０８が行われる際に、第１通信機器２１及び第２通信機器２２が、それぞれの電源がＯＮの状態であると、第１リモコンは、図５に示す第１スイッチＳＷ１、第２スイッチＳＷ２及び第３スイッチＳＷ３の各状態に基づいて定まるグループに、第１通信機器２１及び第２通信機器２２を指定する。例えば、第１スイッチＳＷ１、第２スイッチＳＷ２及び第３スイッチＳＷ３によって、グループが「１」に設定されている場合には、第１通信機器２１及び第２通信機器２２は、それぞれ「１」のグループに指定される。
【００５４】
グループに通信機器が指定されると、ユーザは、グループごとに、複数の通信機器を第１通信装置によってまとめて操作できる。具体的には、図６に示す例では、例えば、「１」のグループに対して消灯の操作を行うと、「１」のグループに指定される第１通信機器２１及び第２通信機器２２は、消灯の操作に基づいて、それぞれ消灯する。このように、グループが指定できると、ユーザは、同じ操作を各通信機器に対して繰り返し操作するのを少なくできる。
【００５５】
図３に戻り、ステップＳ１０９では、第１リモコンは、グループを解除するか否かを判断する。次に、グループを解除すると判断されると（ステップＳ１０９でＹＥＳ）、第１リモコンは、ステップＳ１１０に進む。一方、グループを解除しないと判断されると（ステップＳ１０９でＮＯ）、第１リモコンは、ステップＳ１１１に進む。なお、グループを解除するか否かは、例えば、ユーザによって設定が行われる。具体的には、設定は、例えば、スイッチ等によって行われる。
【００５６】
ステップＳ１１０では、第１リモコンは、グループを解除する。具体的には、ステップＳ１０８によってグループが指定されている場合には、第１リモコンは、ステップＳ１０８で指定されるグループを通信できる通信機器に対して解除する。なお、解除されるグループは、例えば、ステップＳ１０８と同様に、図５に示す第１スイッチＳＷ１、第２スイッチＳＷ２及び第３スイッチＳＷ３等によってユーザが設定できる。
【００５７】
ステップＳ１１１では、第１リモコンは、第２リモコンの設定を第１リモコンと同一にする設定を解除するか否かを判断する。次に、同一にする設定を解除すると判断されると（ステップＳ１１１でＹＥＳ）、第１リモコンは、ステップＳ１１２に進む。一方、第２リモコンの設定を第１リモコンと同一にする設定を解除しないと判断されると（ステップＳ１１１でＮＯ）、第１リモコンは、処理を終了する。なお、グループを解除するか否かは、例えば、ユーザによって設定が行われる。具体的には、設定は、例えば、スイッチ等によって行われる。
【００５８】
ステップＳ１１２では、第１リモコンは、第２リモコンの設定を第１リモコンと同一にする設定を解除する。具体的には、ステップＳ１１４によって、第２リモコンに、いわゆるクローン処理が行われている場合には、第１リモコンは、クローン処理を解除する。例えば、第１リモコンは、クローン処理によって設定された第２リモコンの各設定を初期化する。
【００５９】
ステップＳ１１３では、第１リモコンは、第２リモコンの制御内容及びグループを第１リモコンと同一に設定するか否かを判断する。次に、制御内容及びグループを同一に設定すると判断されると（ステップＳ１１３でＹＥＳ）、第１リモコンは、ステップＳ１１４に進む。一方、制御内容及びグループを同一に設定しないと判断されると（ステップＳ１１３でＮＯ）、第１リモコンは、処理を終了する。なお、制御内容及びグループを同一に設定するか否かは、例えば、ユーザによって設定が行われる。具体的には、設定は、例えば、スイッチ等によって行われる。
【００６０】
ステップＳ１１４では、第１リモコンは、第２リモコンの制御内容及びグループを第１リモコンと同一に設定する通信を行う。なお、ステップＳ１１４は、いわゆるクローンを生成する処理、いわゆるクローン処理である。この場合には、第１リモコンは、クローン元となり、第２リモコンは、いわゆるクローン処理によって、第１リモコンのクローン機となる関係である。
【００６１】
なお、第２リモコンは、アソシエーション前等の初期状態であって、アプリケーション制御モードであり、かつ、クローン処理ボタンがＯＮの３つの状態でクローン処理待ち状態となり、さらに、第１リモコンの近距離通信範囲内であると、第１リモコンのクローン処理がＯＮになった場合、クローン処理の対象となる。
【００６２】
具体的には、ステップＳ１１４では、第１リモコンは、ユーザによって設定される通信機器に対する制御内容を示すデータ、ステップＳ１０３に係るデータ及びステップＳ１０８に係るデータ等を第２リモコンに送信し、送信されるデータに基づいて、第１リモコンと同一となるように、各設定を変更する。なお、通信機器に対する制御内容は、例えば、第１リモコンが有するボタン等のうち、あるボタンが押されると、所定のグループの通信機器をすべて消灯にする等である。また、制御内容は、ユーザ等があらかじめ入力するとする。
【００６３】
図７は、本発明の一実施形態に係る１０台の通信装置が有するアソシエーションに係るデータの一例を示す表である。以下、各通信機器及び各通信装置の間で行われる通信がＢｌｕｅｔｏｏｔｈ（登録商標）で行われる例で説明する。
【００６４】
図７は、あらかじめ、即ち、アソシエイト前に各通信装置に設定されているそれぞれのデータの例を示す。また、図７に示すデータは、通信機器とアソシエイトするのに使用されるデータの例である。さらに、これらのデータは、アソシエイト可能制限を示す。
【００６５】
具体的には、図７における１行当たりのデータがそれぞれ１台の通信装置が有するデータである。したがって、この例は、１０台の通信装置がある例、即ち、図６に示す第１リモコン１１が１０台ある場合の例である。また、図７に示す表は、全（１０台分）通信装置が有するデータの集まりを示す。
【００６６】
アソシエイトされると、「通信機器側に割当可能なＤｅｖｉｃｅ  ＩＤ」のうち、いずれかが通信機器側に割り当てられる。
【００６７】
また、「Ｐａｓｓｐｈｒａｓｅ（ｐａｓｓｗｏｒｄ）」は、アソシエイト後、通信装置及び通信機器の通信に用いる暗号化Ｋｅｙを生成するのに用いられるデータである。
【００６８】
さらに、「通信装置自身のＡｄｄｒｅｓｓ」は、例えば、「Ｂｌｕｅｔｏｏｔｈ  Ａｄｄｒｅｓｓ」又は「ＭＡＣアドレス」等である。なお、この例では、「Ｂｌｕｅｔｏｏｔｈ  Ａｄｄｒｅｓｓ」が用いられる例で説明する。
【００６９】
図８は、本発明の一実施形態に係る第１通信装置が有するアソシエイト及びグループに係るデータの一例を示す表である。
【００７０】
図示する表は、アソシエイト（図３に示すステップＳ１０３）と、グループ設定（図３に示すステップＳ１０８）とが行われた後、通信装置がそれぞれ有するデータの集まりを示す。また、１行当たりのデータが、それぞれ１台の通信機器に対する送信先についてのデータである。したがって、この例は、１０台の通信機器がある例である。なお、１台の通信装置が２行以上のデータを有する場合があってもよい（アソシエイトによる）。
【００７１】
また、「グループ設定１乃至４」は、各通信機器「０ｘ８３０＊」が持てるグループ数を示す。この例では、各通信機器は、それぞれ４つのグループまで入ることができる。
【００７２】
図７に示すデータは、通信装置にあらかじめ設定されるデータであり、いくつの通信機器とアソシエイト可能で、アソシエイトするにあたって、割当可能なＤｅｖｉｃｅ  ＩＤとお互いにやり取りするための暗号化Ｋｅｙを生成するＰａｓｓｐｈｒａｓｅを有する。そして、アソシエイトすることで図８に示すデータが生成される。即ち、アソシエイトされると、相手のＡｄｄｒｅｓｓと、割当てたＤｅｖｉｃｅ  ＩＤとがそれぞれ記憶される。
【００７３】
この時点では、グループ設定は、されていないため、図８では「空白」となる。その後、グループ設定がされると、各「グループ設定１乃至４」にグループ番号が記憶される。
【００７４】
また、クローン処理が行われると、図８に示すデータがコピーされる。
【００７５】
図９は、本発明の一実施形態に係る１０台の通信機器が有するデータの一例を示す表である。
【００７６】
図示する表は、アソシエイト（図３に示すステップＳ１０３）と、グループ設定（図３に示すステップＳ１０８）とが行われた後、通信機器がそれぞれ有するデータの集まりを示す。また、１行当たりのデータが、１台の通信機器がそれぞれ有するデータである。
【００７７】
具体的には、「通信機器自身のＡｄｄｒｅｓｓ」は、あらかじめ通信機器に設定されるデータである。また、アソシエイトが行われると、「通信機器Ｄｅｖｉｃｅ  ＩＤ」が通信装置によって割り当てられ、「暗号化Ｋｅｙ」が設定される。そして、アソシエイト後、通信装置によってグループが設定される。なお、「暗号化Ｋｅｙ」は、図７に示す「Ｐａｓｓｐｈｒａｓｅ」に基づいて生成されるデータであり、任意のデータである。
【００７８】
アソシエイト後、通信では、「暗号化Ｋｅｙ」によって暗号化されたデータがやり取りされる。
【００７９】
また、アソシエーションが解除されると、対象となる行のデータが削除される。さらに、グループが解除されると、電源ＯＮ、かつ、通信可能位置にある通信機器において、対象となるグループ番号が示される「グループ設定１乃至４」が「空白」となる。
【００８０】
図１０は、本発明の一実施形態に係る通信機器による全体処理の一例を示すフローチャートである。以下、例を説明する。
【００８１】
ステップＳ２０１では、通信機器は、アソシエーションモードであるかアプリケーション制御モードであるか判断する。具体的には、ステップＳ２０１は、ステップＳ１０１と同様の処理等が行われる。
【００８２】
アソシエーションモードであると判断されると（ステップＳ２０１でアソシエーションモード）、通信機器は、ステップＳ２０２に進む。一方、アプリケーション制御モードであると判断されると（ステップＳ２０１でアプリケーション制御モード）、通信機器は、ステップＳ２０４に進む。
【００８３】
ステップＳ２０２では、通信機器は、近距離通信レベルに設定する。例えば、ステップＳ２０２は、ステップＳ１０２と同様の処理を行う。
【００８４】
ステップＳ２０３では、通信機器は、アソシエーションに係るデータを受信する。例えば、ステップＳ２０３は、第１リモコンが図３に示すステップＳ１０３を行うと、行われる処理である。したがって、ステップＳ２０３によって制御対象に通信機器が登録されるための処理等を行う。具体的には、図７に示す「Ｐａｓｓｐｈｒａｓｅ（ｐａｓｓｗｏｒｄ）」に入力されている値が第１リモコンから送信されるので、通信機器は、値を示すデータを受信し、記憶する等である。
【００８５】
ステップＳ２０４では、通信機器は、遠距離通信レベルに設定する。例えば、ステップＳ２０４は、ステップＳ１０４と同様の処理を行う。
【００８６】
ステップＳ２０５では、通信機器は、第１リモコンから送信される信号が制御内容を示す信号（以下「制御信号」という。）であるか否かを判断する。次に、制御信号であると判断されると（ステップＳ２０５でＹＥＳ）、通信機器は、ステップＳ２０６に進む。一方、制御信号でないと判断されると（ステップＳ２０５でＮＯ）、通信機器は、ステップＳ２０９に進む。
【００８７】
ステップＳ２０６では、通信機器は、「Ｄｅｖｉｃｅ  ＩＤ」による制御であるか否かを判断する。次に、「Ｄｅｖｉｃｅ  ＩＤ」による制御であると判断されると（ステップＳ２０６でＹＥＳ）、通信機器は、ステップＳ２０７に進む。一方、「Ｄｅｖｉｃｅ  ＩＤ」による制御でないと判断されると（ステップＳ２０６でＮＯ）、通信機器は、ステップＳ２０８に進む。
【００８８】
ステップＳ２０７では、通信機器は、「Ｄｅｖｉｃｅ  ＩＤ」に係る制御を行う。「Ｄｅｖｉｃｅ  ＩＤ」に係る制御は、第１リモコンに、１つの通信機器に対する操作が入力される場合に行われる制御である。つまり、「Ｄｅｖｉｃｅ  ＩＤ」に係る制御は、グループに対する操作が入力された場合でなく、複数の通信機器のうち、入力される「Ｄｅｖｉｃｅ  ＩＤ」で特定される通信機器に対する操作が入力された場合に行われる。具体的には、「Ｄｅｖｉｃｅ  ＩＤ」で特定された通信機器は、操作に基づいて、点灯又は消灯等を行う。
【００８９】
ステップＳ２０８では、通信機器は、グループに係る制御を行う。グループに係る制御は、第１リモコンに、複数の通信機器を示すグループに対する操作が入力される場合に行われる制御である。つまり、グループに係る制御は、グループに対する操作が入力された場合であり、入力されるグループの番号等で特定される通信機器に対する操作が入力された場合に行われる。具体的には、グループで特定された通信機器は、操作に基づいて、点灯又は消灯等を行う。
【００９０】
ステップＳ２０９では、通信機器は、グループに指定する信号か否かを判断する。即ち、図３に示すステップＳ１０８が第１リモコンで行われたか否かを判断する。次に、グループに指定する信号であると判断されると（ステップＳ２０９でＹＥＳ）、通信機器は、ステップＳ２１０に進む。一方、グループに指定する信号でないと判断されると（ステップＳ２０９でＮＯ）、通信機器は、ステップＳ２１１に進む。
【００９１】
ステップＳ２１０では、通信機器は、グループに指定される。例えば、通信機器は、図３に示すステップＳ１０８で決定されるグループを特定できる番号を記憶する等のステップＳ１０８に対する処理を行う。
【００９２】
ステップＳ２１１では、通信機器は、グループを解除する信号か否かを判断する。即ち、図３に示すステップＳ１１０が第１リモコンで行われたか否かを判断する。次に、グループを解除する信号であると判断されると（ステップＳ２１１でＹＥＳ）、通信機器は、ステップＳ２１２に進む。一方、グループを解除する信号でないと判断されると（ステップＳ２１１でＮＯ）、通信機器は、ステップＳ２１３に進む。
【００９３】
ステップＳ２１２では、通信機器は、グループを解除する。例えば、通信機器は、ステップＳ２１０でグループに指定される際に記憶するデータ等を削除する。
【００９４】
ステップＳ２１３では、通信機器は、アソシエーションを解除する。ステップＳ２１３が行われる場合は、図３に示すステップＳ１０６が第１リモコンによって行われる場合である。この場合には、通信機器は、ステップＳ２０３で記憶するデータ等を削除する。
【００９５】
なお、第１リモコンは、いわゆる親機であるとすると、第２リモコンは、いわゆる子機となる。この関係において、第２リモコンでは、第１リモコンが実行できる処理のうち、一部の処理が制限されてもよい。例えば、図３に示すステップＳ１１４、即ち、クローン処理は、第１リモコンが実行でき、第２リモコンでは、実行が制限されてもよい。つまり、第１リモコンの制御内容及びグループに係る設定をコピーして同一のいわゆるクローン機を生成するクローン処理は、第１リモコンで実行でき、第２リモコンでは、実行できないように設定されてもよい。
【００９６】
同様に、ステップＳ１０３による制御対象の登録及びステップＳ１０６による制御対象の登録を解除等のアソシエーションに係る処理も第１リモコンで実行でき、第２リモコンでは、実行できないように設定されてもよい。
【００９７】
さらに、ステップＳ１０８による所定の通信機器をグループに指定及びステップＳ１１０による所定の機器をグループに指定等のグループに係る処理も第１リモコンで実行でき、第２リモコンでは、実行できないように設定されてもよい。
【００９８】
一方で、クローン処理によって設定される内容を削除し、初期化する処理等は、第１リモコンでも、第２リモコンでも、実行できるに設定されてもよい。
【００９９】
このように、第１リモコンと、第２リモコンとで実行できる処理に違いがあるように設定されてもよい。つまり、第１リモコンの方では、例えば、各データの生成又は変更等ができるのに対して、第２リモコンの方では、制御の実行及びデータの削除等が実行できる等と設定されてもよい。
【０１００】
また、クローン処理は、１つのリモコンを対象にするに限られない。即ち、クローン機となるリモコンは、２つ以上が１回の操作で生成されてもよい。つまり、クローン処理によって、２つ以上のクローン機が生成されてもよい。
【０１０１】
このように、第１リモコンに設定される設定を１以上の第２リモコン等の他の複数の通信装置にクローン処理等によってコピーする場合において、クローン処理を繰り返し行う等の操作が少なくできるため、通信システムは、クローン処理等に係るユーザの利便性を向上できる。
【０１０２】
本願発明は、例えば、テレビ等の映像表示装置、ゲーム端末、照明機器、エアコン、デジタルカメラ又はビデオカメラ等の無線通信によって制御され得る通信機器を有する電子通信機器全般に使用することができる。
【０１０３】
以上、本発明の好ましい実施例について詳述したが、本発明は、上述の実施形態に限定されず、特許請求の範囲に記載された本発明の要旨の範囲内において、種々の変形又は変更が可能である。
【符号の説明】
【０１０４】
１  通信システム
１１  第１リモコン
１２  第２リモコン
２１  第１通信機器
２２  第２通信機器
２３  第３通信機器
２４  第４通信機器
Ｌ１  近距離
Ｌ２  遠距離
【図１】
2017085277.tif 000003
【図２】
2017085277.tif 000004
【図３】
2017085277.tif 000005
【図４】
2017085277.tif 000006
【図５】
2017085277.tif 000007
【図６】
2017085277.tif 000008
【図７】
2017085277.tif 000009
【図８】
2017085277.tif 000010
【図９】
2017085277.tif 000011
【図１０】
2017085277.tif 000012